(57)【要約】【課題】  入力信号に対する種々の分岐、分配機能および信号増幅機能を備えつつ、製品の種類を削減して製品仕様の共通化、製品コストの低減を図るとともに、設置工事の作業効率の向上を図ることができる分岐分配機能を備えたブースタを提供する。【解決手段】  分岐分配機能を備えたブースタは、入力される放送信号を分波して、各信号種毎に所定の信号レベルに増幅処理するブースタ機能部ＢＳＴＡと、増幅された放送信号の分岐出力と分配出力を切り換える分岐・分配機能部ＳＥＬＡと、を備えている。分岐・分配機能部ＳＥＬＡは、出力端子ＯＵＴ、ＯＵＴ１〜ＯＵＴ４への４分岐信号を供給する経路（第１の信号処理経路）と、出力端子ＯＵＴ１〜ＯＵＴ４への４分配信号を供給する経路（第２の信号処理経路）のいずれかを選択する切換スイッチ（第２の選択手段）ＳＷＢと、を有している。【選択図】  図５
2011109704.tif 000002
【特許請求の範囲】
【請求項１】
入力端子を介して入力される１または複数の異なる信号種の伝送信号のうち、所望の伝送信号を選択する第１の選択手段と、
前記選択された伝送信号を所望の信号レベルに増幅処理する信号増幅部と、
前記信号増幅部により増幅処理された前記伝送信号に基づいて、所定数の分岐信号を生成する第１の信号処理経路と、
前記増幅処理された前記伝送信号に基づいて、所定数の分配信号を生成する第２の信号処理経路と、
少なくとも、前記第１の信号処理経路、または、前記第２の信号処理経路のいずれかを、選択設定する第２の選択手段と、
前記第１の信号処理経路、および、前記第２の信号処理経路の後段に設けられ、前記分岐信号、または、前記分配信号を出力する出力端子群と、
を備え、
筐体の異なる側面に、前記入力端子および前記出力端子群が設けられ、前記入力端子近傍の前記筐体の正面に、前記第１の選択手段が配置されるとともに、前記出力端子群近傍の前記筐体の正面に、前記第２の選択手段が配置されることを特徴とする分岐分配機能を備えたブースタ。
【請求項２】
少なくとも、前記第１の選択手段および前記信号増幅部からなる信号増幅機能部と、前記第１の信号処理経路、前記第２の信号処理経路、前記第２の選択手段および前記出力端子群からなる分岐分配機能部と、を収納し、所定の形状を有する第１の筐体と、
少なくとも、前記信号増幅機能部に所定の駆動電源を供給する電源供給機能部を収納し、前記第１の筐体と略同等の形状を有する第２の筐体と、
を具備し、
前記筐体は、前記第１の筐体であって、
前記第１の筐体の異なる側面に、前記入力端子および前記出力端子群が設けられ、前記入力端子近傍の前記第１の筐体の正面に、前記第１の選択手段が配置されるとともに、前記出力端子群近傍の前記第１の筐体の正面に、前記第２の選択手段が配置されることを特徴とする請求項１記載の分岐分配機能を備えたブースタ。
【請求項３】
前記第１の筐体を上段、前記第２の筐体を下段として、前記第１および第２の筐体相互が、積層構造を有して組み付けられていることを特徴とする請求項２記載の分岐分配機能を備えたブースタ。
【請求項４】
前記出力端子群は、複数の出力端子からなる第１の出力端子群と、単一の第２の出力端子と、を具備し、
前記分岐信号が前記第１の出力端子群および前記第２の出力端子から出力され、前記分配信号が前記第１の出力端子群から出力されることを特徴とする請求項１乃至３のいずれかに記載の分岐分配機能を備えたブースタ。
【請求項５】
前記増幅処理された前記伝送信号をスルー出力としてそのまま通過させる第３の信号処理経路を、さらに備え、
前記第２の出力端子は、前記第３の信号処理経路の後段に設けられ、前記第２の選択手段を選択設定することにより、前記スルー出力が前記第２の出力端子から出力されることを特徴とする請求項４記載の分岐分配機能を備えたブースタ。
【発明の詳細な説明】
【技術分野】
【０００１】
本発明は、分岐分配機能を備えたブースタに関し、特に、共同受信システム等の伝送経路に適用して良好な分岐分配機能を備えたブースタに関する。
【背景技術】
【０００２】
近年、大規模ニュータウンやマンション等の集合住宅、あるいは、高層ビル等において、地上波放送や衛星放送等の放送信号（電波）を単一の受信アンテナにより受信し、各住戸等に設置された受信器に伝送する共同受信システムが知られている。
【０００３】
ここで、従来の共同受信システムについて図面を参照して簡単に説明する。
図１２は、従来の集合住宅等における共同受信システムの伝送経路を示す概略構成図である。
図１２に示すように、共同受信システム１００は、概略、地上波放送信号や、放送衛星（Broadcasting Satellite：ＢＳ）、通信衛星（Communication Satellite：ＣＳ）から送信される放送信号を受信するマスタアンテナ１０１と、受信された放送信号の信号レベルを増幅するブースタ（増幅器）１０２ａ〜１０２ｄと、該放送信号を単一の高信号レベルと複数の低信号レベルに分割して、各々幹線（高信号レベル）および支線（低信号レベル）に供給する分岐器１０３ａ、１０３ｂと、放送信号を各受信端末に伝送するために、該放送信号を所定の信号レベルに等分して複数の支線に供給する分配器１０４ａ〜１０４ｃと、各住戸毎に設けられ、上記伝送された放送信号を受信して映像音響機器に出力する受信端子１０５と、を有して構成されている。
【０００４】
このような構成を有する共同受信システム１００において、例えば、集合住宅の屋上等に設けられたマスタアンテナ１０１により受信された放送信号は、まず、ブースタ１０２ａにより所定の信号レベルに増幅された後、各階毎に設けられた分岐器１０３ａ、１０３ｂを介して、順次階下に伝送される。このとき、分岐器１０３ａ、１０３ｂにより、各階相互は幹線となる伝送線Ｌａにより接続されて高レベルの信号が供給され、各階には支線となる複数の伝送線Ｌｂが接続されて低レベルの信号が供給される。伝送線Ｌａの末端には、分配器１０４ｃが設置され、分配器１０４ｃにより、受信端子の数（住戸の数）に応じた支線に分割されて各住戸側に低レベルの信号が供給される。
【０００５】
また、各階においては、分岐器１０３ａ、１０３ｂから分割して供給された伝送信号の信号レベルをブースタ１０２ｂ〜１０２ｄにより増幅した後、さらに複数段の分配器１０４ａ、１０４ｂを介して、受信端子の数（住戸の数）に応じた支線に分割して供給する。このとき、各支線に供給される信号レベルは、各住戸における放送の受信に適した信号レベルに設定されていることはいうまでもない。
なお、上述したような共同受信システムについては、特許文献１等に記載されている。
【先行技術文献】
【特許文献】
【０００６】
【特許文献１】特開平１０−１９０５０５号公報
【発明の概要】
【発明が解決しようとする課題】
【０００７】
上述したような従来の共同受信システムにおいては、各住戸等への受信信号の伝送に際し、各岐点毎に、分岐器または分配器を配置し、さらに伝送される信号レベルを確保するために随所に個別のブースタを配置する必要があった。また、上記岐点においては、図１２に示したように、ブースタと分配器、または、ブースタと分岐器を組み合わせて、近傍に設置する場合が多かった。
【０００８】
しかしながら、従来の共同受信システムにおいては、その仕様に応じた機器を個別に用意し、伝送線の配線現場において、個別に設置、配線しなければならず、受信住戸数が増加するほど、伝送ケーブルの配線構造に応じた多種の分岐器および分配器が大量に必要となり、機器点数が増大して、設置工事が繁雑になるうえ、製品の種類（製品ラインナップ）の増加に伴い、製品コストや工事費用の増大を招くという問題を有していた。また、機器の設置スペースが広くなるという問題も有していた。
【０００９】
そこで、本発明は、このような問題点に鑑み、入力信号に対する種々の分岐、分配機能および信号増幅機能を備えつつ、製品の種類を削減して製品仕様の共通化、製品コストの低減を図るとともに、設置工事の作業効率の向上を図ることができる分岐分配機能を備えたブースタを提供することを目的とする。
また、上記機能を備えつつ、機器サイズの小型化を図り、設置スペースの削減を図ることを目的とする。
【課題を解決するための手段】
【００１０】
請求項１記載の発明に係る分岐分配機能を備えたブースタは、
入力端子を介して入力される１または複数の異なる信号種の伝送信号のうち、所望の伝送信号を選択する第１の選択手段と、
前記選択された伝送信号を所望の信号レベルに増幅処理する信号増幅部と、
前記信号増幅部により増幅処理された前記伝送信号に基づいて、所定数の分岐信号を生成する第１の信号処理経路と、
前記増幅処理された前記伝送信号に基づいて、所定数の分配信号を生成する第２の信号処理経路と、
少なくとも、前記第１の信号処理経路、または、前記第２の信号処理経路のいずれかを、選択設定する第２の選択手段と、
前記第１の信号処理経路、および、前記第２の信号処理経路の後段に設けられ、前記分岐信号、または、前記分配信号を出力する出力端子群と、
を備え、
筐体の異なる側面に、前記入力端子および前記出力端子群が設けられ、前記入力端子近傍の前記筐体の正面に、前記第１の選択手段が配置されるとともに、前記出力端子群近傍の前記筐体の正面に、前記第２の選択手段が配置されることを特徴とする。
【００１１】
請求項２記載の発明は、請求項１記載の分岐分配機能を備えたブースタにおいて、
少なくとも、前記第１の選択手段および前記信号増幅部からなる信号増幅機能部と、前記第１の信号処理経路、前記第２の信号処理経路、前記第２の選択手段および前記出力端子群からなる分岐分配機能部と、を収納し、所定の形状を有する第１の筐体と、
少なくとも、前記信号増幅機能部に所定の駆動電源を供給する電源供給機能部を収納し、前記第１の筐体と略同等の形状を有する第２の筐体と、
を具備し、
前記筐体は、前記第１の筐体であって、
前記第１の筐体の異なる側面に、前記入力端子および前記出力端子群が設けられ、前記入力端子近傍の前記第１の筐体の正面に、前記第１の選択手段が配置されるとともに、前記出力端子群近傍の前記第１の筐体の正面に、前記第２の選択手段が配置されることを特徴とする。
【００１２】
請求項３記載の発明は、請求項２記載の分岐分配機能を備えたブースタにおいて、
前記第１の筐体を上段、前記第２の筐体を下段として、前記第１および第２の筐体相互が、積層構造を有して組み付けられていることを特徴とする。
【００１３】
請求項４記載の発明は、請求項１乃至３のいずれかに記載の分岐分配機能を備えたブースタにおいて、
前記出力端子群は、複数の出力端子からなる第１の出力端子群と、単一の第２の出力端子と、を具備し、
前記分岐信号が前記第１の出力端子群および前記第２の出力端子から出力され、前記分配信号が前記第１の出力端子群から出力されることを特徴とする。
【００１４】
請求項５記載の発明は、請求項４記載の分岐分配機能を備えたブースタにおいて、
前記増幅処理された前記伝送信号をスルー出力としてそのまま通過させる第３の信号処理経路を、さらに備え、
前記第２の出力端子は、前記第３の信号処理経路の後段に設けられ、前記第２の選択手段を選択設定することにより、前記スルー出力が前記第２の出力端子から出力されることを特徴とする。
【発明の効果】
【００１５】
本発明に係る分岐分配機能を備えたブースタによれば、入力信号に対する種々の分岐、分配機能および信号増幅機能を備えつつ、製品の種類を削減して製品仕様の共通化、製品コストの低減を図るとともに、設置工事の作業効率の向上を図ることができる。
【図面の簡単な説明】
【００１６】
【図１】本発明に適用される分岐・分配器の第１の参考例を示す概略構成図、および、その動作状態を示すテーブルである。
【図２】第１の参考例に示した分岐・分配器と同等の２分岐／２分配機能を有する他の例を示す概略構成図、および、その動作状態を示すテーブルである。
【図３】本発明に適用される分岐・分配器の第２の参考例を示す概略構成図、および、その動作状態を示すテーブルである。
【図４】参考例に示した分岐・分配器を適用した共同受信システムの伝送経路を示す概略構成図である。
【図５】本発明に係る分岐分配機能を備えたブースタの第１の実施形態を示す概略構成図である。
【図６】本実施形態に係る分岐分配機能を備えたブースタの一具体例を示す概略外観図である。
【図７】本発明に係る分岐分配機能を備えたブースタの第２の実施形態を示す概略構成図である。
【図８】本実施形態に係るブースタに適用される分岐分配機能部の動作状態を示すテーブルである。
【図９】本実施形態に係る分岐分配機能を備えたブースタの第２の実施形態を示す概略外観図である。
【図１０】本発明に係る分岐分配機能を備えたブースタの第３の実施形態に適用される分岐分配機能部を示す概略構成図、および、その動作状態を示すテーブルである。
【図１１】本発明に係る分岐分配機能を備えたブースタを適用した共同受信システムの伝送経路を示す概略構成図である。
【図１２】従来の集合住宅等における共同受信システムの伝送経路を示す概略構成図である。
【発明を実施するための形態】
【００１７】
以下、本発明の実施の形態を、図面を参照しながら説明する。
まず、本発明に適用される分岐・分配器の参考例について説明する。
＜分岐・分配器の第１の参考例＞
図１は、本発明に適用される分岐・分配器の第１の参考例を示す概略構成図、および、その動作状態を示すテーブルである。
【００１８】
図１（ａ）に示すように、本参考例に係る分岐・分配器は、入力端子ＩＮを介して入力信号が入力接点Ｐinに供給される２極双投スイッチからなる切換スイッチ（選択手段）ＳＷ１１と、該切換スイッチＳＷ１１の一方側の切換接点ＰＡ１に印加された信号を２分配し、一方の分配信号を切換スイッチＳＷ１１の一方側の切換接点ＰＡ２に出力する２分配器ＤＳ１１と、２分配器ＤＳ１１からの他方の分配信号が出力される出力端子ＯＵＴ１１と、切換スイッチＳＷ１１の出力接点Ｐoutに印加された信号を２分配する２分配器ＤＳ１２と、２分配器ＤＳ１２からの分配信号が出力される個別の出力端子ＯＵＴ１２、ＯＵＴ１３と、を備えて構成されている。なお、切換スイッチＳＷ１１の他方側の切換接点ＰＢ１、ＰＢ２は、信号線により相互に接続されている。
【００１９】
このような構成を有する分岐・分配器において、図１（ｂ）に示すように、切換スイッチＳＷ１１を接続接点ＰＡ１／ＰＡ２側に切り換えると、入力信号は、２分配器ＤＳ１１により、所定の信号レベルに等分（二分配）されて、一方の分配信号は、出力端子ＯＵＴ１１にそのまま供給、出力される。また、２分配器ＤＳ１１の他方の分配信号は、２分配器ＤＳ１２により、所定の信号レベルに等分（二分配）されて、出力端子ＯＵＴ１２およびＯＵＴ１３に供給、出力される。すなわち、入力信号の信号レベルＬ１に対して、出力端子ＯＵＴ１１には、信号レベルＬ１×１／２を有する信号が供給されるとともに、出力端子ＯＵＴ１２、ＯＵＴ１３には、各々信号レベルＬ１×１／４を有する信号が供給されることになり、２分岐機能が実現される。
【００２０】
よって、切換スイッチＳＷ１１が接続接点ＰＡ１／ＰＡ２側に切り換え設定された場合における、入力端子ＩＮから切換スイッチＳＷ１１、２分配器ＤＳ１１、ＤＳ１２を介して出力端子ＯＵＴ１１〜ＯＵＴ１３に至る分岐信号を生成する経路は、本発明における第１の信号処理経路を構成する。
【００２１】
一方、切換スイッチＳＷ１１を接続接点ＰＢ１／ＰＢ２側に切り換えると、入力信号は、２分配器ＤＳ１２により、所定の信号レベルに等分（二分配）されて、出力端子ＯＵＴ１２およびＯＵＴ１３に供給、出力される。すなわち、入力信号の信号レベルＬ１に対して、出力端子ＯＵＴ１２、ＯＵＴ１３には、各々信号レベルＬ１×１／２を有する信号が供給されることになり、２分配機能が実現される。
【００２２】
よって、切換スイッチＳＷ１１が接続接点ＰＢ１−ＰＢ２側に切り換え設定された場合における、入力端子ＩＮから切換スイッチＳＷ１１、２分配器ＤＳ１２を介して出力端子ＯＵＴ１２、ＯＵＴ１３に至る分配信号を生成する経路は、本発明における第２の信号処理経路を構成する。
【００２３】
したがって、本参考例に係る分岐・分配器によれば、切換スイッチＳＷ１１を任意に切り換え設定することにより、単一の分岐・分配器で、入力信号の２分岐出力または２分配出力を選択することができ、２分岐／２分配機能を得ることができる。
また、分岐信号および分配信号の出力端子を兼用しているので、入出力端子数を抑制して、小型の分岐・分配器を実現することができる。
さらに、共同受信システムを構築するための機器の種類を削減して製品仕様の共通化、製品コストの低減を図ることができ、設置工事の作業効率の向上や工事費用の削減を図ることができる。詳しくは後述する。
【００２４】
図２は、上述した第１の参考例に示した分岐・分配器と同等の２分岐／２分配機能を有する分岐・分配機の他の例を示す概略構成図、および、その動作状態を示すテーブルである。
図２（ａ）に示すように、上述した参考例と同等の機能を実現するための他の構成としては、入力信号を２分配する２分配器ＤＳ１１´と、２分配器ＤＳ１１´からの一方の分配信号が出力される出力端子ＯＵＴ１１′と、２分配器ＤＳ１１´からの他方の分配信号が入力接点Ｐinに印加された２極双投スイッチからなる切換スイッチＳＷ１１´と、該切換スイッチＳＷ１１´の一方側の切換接点ＰＢ１に印加された信号を２分配し、一方の分配信号を切換スイッチＳＷ１１´の一方側の切換接点ＰＢ２に出力する２分配器ＤＳ１２´と、切換スイッチＳＷ１１´の出力接点Ｐoutに印加された信号が出力される出力端子ＯＵＴ１２´と、２分配器ＤＳ１２´からの他方の分配信号が出力される出力端子ＯＵＴ１３´と、を備えて構成されている。なお、切換スイッチＳＷ１１´の他方側の切換接点ＰＡ１、ＰＡ２は、信号線により相互に接続されている。
【００２５】
このような構成を有する分岐・分配器において、図２（ｂ）に示すように、切換スイッチＳＷ１１´を接続接点ＰＡ１／ＰＡ２側に切り換えると、入力信号は、２分配器ＤＳ１１´により、所定の信号レベルに等分されて、出力端子ＯＵＴ１１´およびＯＵＴ１２′に供給、出力される。すなわち、入力信号の信号レベルＬ１に対して、出力端子ＯＵＴ１１´、ＯＵＴ１２′には、各々信号レベルＬ１×１／２を有する信号が供給されることになり、２分配機能が実現される。
【００２６】
一方、切換スイッチＳＷ１１´を接続接点ＰＢ１／ＰＢ２側に切り換えると、入力信号は、２分配器ＤＳ１１´により、所定の信号レベルに等分されて、一方の分配信号は、出力端子ＯＵＴ１１にそのまま供給、出力される。また、２分配器ＤＳ１１′の他方の分配信号は、２分配器ＤＳ１２′により、所定の信号レベルに等分されて、出力端子ＯＵＴ１２′およびＯＵＴ１３′に供給、出力される。すなわち、入力信号の信号レベルＬ１に対して、出力端子ＯＵＴ１１´には、信号レベルＬ１×１／２を有する信号が出力されるとともに、出力端子ＯＵＴ１２´、ＯＵＴ１３´には、各々信号レベルＬ１×１／４を有する信号が出力されることになり、２分岐機能が実現される。
【００２７】
＜分岐・分配器の第２の参考例＞
次に、本発明に適用される分岐・分配器の第２の参考例について、図面を参照して説明する。
図３は、本発明に適用される分岐・分配器の第２の参考例を示す概略構成図、および、その動作状態を示すテーブルである。ここで、上述した参考例と同等の構成については、同一の符号を付して、その説明を簡略化する。
本参考例においては、第１の参考例（図１）に示した２分岐／２分配機能を備えた分岐・分配器の概念に基づいて、単一の分岐・分配器により４分岐／４分配機能を備えたものである。
【００２８】
図３（ａ）に示すように、本参考例に係る分岐・分配器は、入力信号が入力接点Ｐinに供給される切換スイッチＳＷ２１と、一方側の切換接点ＰＡ１に印加された信号を２分配し、一方の分配信号を切換接点ＰＡ２に出力する２分配器ＤＳ２１と、２分配器ＤＳ２１からの他方の分配信号が出力される出力端子ＯＵＴ２１と、切換スイッチＳＷ２１の出力接点Ｐoutに印加された信号を４分配する４分配器ＤＳ２２と、４分配器ＤＳ２２からの分配信号が出力される個別の出力端子ＯＵＴ２２〜ＯＵＴ２５と、を備えて構成されている。なお、切換スイッチＳＷ２１の他方側の切換接点ＰＢ１、ＰＢ２は、信号線により相互に接続されている。
【００２９】
このような構成を有する分岐・分配器において、図３（ｂ）に示すように、切換スイッチＳＷ２１を接続接点ＰＡ１／ＰＡ２側に切り換えると、入力信号は、２分配器ＤＳ２１により、所定の信号レベルに等分されて、一方の分配信号は、出力端子ＯＵＴ２１にそのまま供給、出力される。また、２分配器ＤＳ２１の他方の分配信号は、２分配器ＤＳ２２により、所定の信号レベルに４等分されて、出力端子ＯＵＴ２２〜ＯＵＴ２５に供給、出力される。すなわち、入力信号の信号レベルＬ１に対して、出力端子ＯＵＴ２１には、信号レベルＬ１×１／２を有する信号が供給されるとともに、出力端子ＯＵＴ２２〜ＯＵＴ２５には、各々信号レベルＬ１×１／８を有する信号が供給されることになり、４分岐機能が実現される。
【００３０】
一方、切換スイッチＳＷ２１を接続接点ＰＢ１／ＰＢ２側に切り換えると、入力信号は、４分配器ＤＳ２２により、所定の信号レベルに４等分されて、出力端子ＯＵＴ２２〜ＯＵＴ２５に供給、出力される。すなわち、入力信号の信号レベルＬ１に対して、出力端子ＯＵＴ２２〜ＯＵＴ２５には、各々信号レベルＬ１×１／４を有する信号が供給されることになり、４分配機能が実現される。
【００３１】
したがって、本参考例に係る分岐・分配器によれば、切換スイッチＳＷ２１を任意に切り換え設定することにより、単一の分岐・分配器で、入力信号の４分岐出力または４分配出力、すなわち、４分岐／４分配機能を得ることができる。
また、共同受信システムを構築するための種々の分岐点、分配点の仕様に対応した分岐・分配器を提供することができ、機器の種類を一層削減して製品仕様の共通化、製品コストの低減を図ることができる。
【００３２】
＜分岐・分配器の適用例＞
次に、上述した第１または第２の参考例に示した分岐・分配器を適用した共同受信システムについて、図面を参照して説明する。
図４は、参考例に示した分岐・分配器を適用した共同受信システムの伝送経路を示す概略構成図である。
【００３３】
図４に示すように、上述した参考例に示した分岐・分配器が適用される共同受信システム１０は、従来技術（図１２）に示したものと同様に、地上波放送信号やＢＳ、ＣＳ放送信号を受信するマスタアンテナ１１と、受信された放送信号を所定の信号レベルに増幅するブースタ１２ａ〜１２ｄと、放送信号を幹線となる高信号レベルと支線となる複数の低信号レベルに分割する分岐器１３ａ〜１３ｃと、該放送信号を所定の信号レベルに等分して複数の支線に供給する分配器１４ａ、１４ｂと、各住戸毎に設けられ、伝送された放送信号を受信して映像音響機器に出力する受信端子１５と、を有して構成されている。
【００３４】
ここで、伝送経路中に設けられる分岐器１３ａ〜１３ｃ、分配器１４ａ、１４ｂの各々に対して、上述した各参考例に示した分岐・分配器が適用される。具体的には、例えば、第２の参考例に示した分岐・分配器（図３（ａ）、（ｂ）参照）において、切換スイッチＳＷ２１を接続接点ＰＡ１／ＰＡ２側に切り換えることにより、４分岐機能が実現され、出力端子ＯＵＴ２１〜ＯＵＴ２５に分岐信号を出力することができるので、分岐器１３ａ〜１３ｃの設置箇所に上述した各参考例に示した分岐・分配器を良好に適用することができる。また、切換スイッチＳＷ２１を接続接点ＰＢ１／ＰＢ２側に切り換えることにより、４分配機能が実現され、出力端子ＯＵＴ２２〜ＯＵＴ２５に分配信号を出力することができるので、分配器１４ａ、１４ｂの設置箇所に上述した各参考例に示した分岐・分配器を良好に適用することができる。
【００３５】
このように、単一の分岐・分配器をスイッチ操作により、機能を切り換えて使用することができるので、従来のように、分岐器および分配器を個別に用意する必要がなく、製品の種類を削減して共通化を図ることができ、製品コストの削減、設置工事の作業効率の向上を図ることができる。
なお、本適用例においては、分岐・分配器の構成として、第２の参考例に示したものを適用した場合について説明したが、他の参考例に示した分岐・分配器を組み合わせた構成や、さらに他の構成も良好に適用することができることはいうまでもない。
【００３６】
次に、本発明に係る分岐分配機能を備えたブースタについて、図面を参照して説明する。
＜ブースタの第１の実施形態＞
図５は、本発明に係る分岐分配機能を備えたブースタの第１の実施形態を示す概略構成図である。なお、ここでは、上述した第２の参考例に示した分岐・分配器を適用したブースタについて説明する。
【００３７】
図５に示すように、本実施形態に係る分岐分配機能を備えたブースタは、大別して、入力される放送信号を分波して、各信号種毎に所定の信号レベルに増幅処理するブースタ機能部ＢＳＴＡと、増幅された放送信号の分岐出力と分配出力を切り換える分岐・分配機能部ＳＥＬＡと、を備えている。
【００３８】
ブースタ機能部ＢＳＴＡは、例えば、ＶＨＦ／ＵＨＦの放送信号が混合された信号が入力される入力端子ＩＮａと、ＶＨＦ／ＵＨＦ／ＢＳ／ＣＳの放送信号が混合された信号が入力される入力端子ＩＮｂと、入力端子ＩＮｂに入力された信号を、ＶＨＦ／ＵＨＦ放送信号とＢＳ／ＣＳ放送信号に分波する分波器ＭＷａと、入力端子ＩＮａに入力された信号、または、分波器ＭＷａにより分波されたＶＨＦ／ＵＨＦ放送信号のいずれかを選択する切換スイッチＳＷＡと、切換スイッチＳＷＡにより選択されたＶＨＦ／ＵＨＦ放送信号を、ＶＨＦ放送信号とＵＨＦ放送信号に分波する分波器ＭＷｂと、ＶＨＦ放送信号、ＵＨＦ放送信号およびＢＳ／ＣＳ放送信号を、それぞれ所定の信号レベルに増幅処理するＶＨＦ増幅部ＡＭＰｖ、ＵＨＦ増幅部ＡＭＰｕおよびＢＳ／ＣＳ増幅部ＡＭＰｓと、増幅処理されたＶＨＦ放送信号とＵＨＦ放送信号を合成する合成器ＳＹＮａと、合成器ＳＹＮａにより合成されたＶＨＦ／ＵＨＦ放送信号と増幅処理されたＢＳ／ＣＳ放送信号を合成する合成器ＳＹＮｂと、を有して構成されている。
【００３９】
なお、図示を省略したが、ＶＨＦ増幅部ＡＭＰｖ、ＵＨＦ増幅部ＡＭＰｕおよびＢＳ／ＣＳ増幅部ＡＭＰｓには、各々信号増幅率を調整するためのゲインコントロールダイヤル等が付設されている。
ここで、切換スイッチＳＷＡは、本発明に係る第１の選択手段を構成し、ＶＨＦ増幅部ＡＭＰｖ、ＵＨＦ増幅部ＡＭＰｕおよびＢＳ／ＣＳ増幅部ＡＭＰｓは、本発明に係る信号増幅部を構成する。すなわち、ブースタ機能部ＢＳＴＡは、本発明に係る信号増幅機能部を構成する。
【００４０】
一方、分岐・分配機能部ＳＥＬＡは、上述した第２の参考例（図３参照）に示した分岐・分配器と同等の構成を有し、出力端子ＯＵＴ、ＯＵＴ１〜ＯＵＴ４への４分岐信号を供給する経路（第１の信号処理経路）と、出力端子ＯＵＴ１〜ＯＵＴ４への４分配信号を供給する経路（第２の信号処理経路）のいずれかを選択する切換スイッチＳＷＢと、を有して構成されている。
ここで、切換スイッチＳＷＢは、本発明に係る第２の選択手段を構成し、分岐・分配機能部ＳＥＬＡは、本発明に係る分岐分配機能部を構成する。
【００４１】
このような構成を有するブースタにおいて、まず、ブースタ機能部ＢＳＴＡにより、入力端子ＩＮａ、ＩＮｂに入力される混合された放送信号のうち、切換スイッチＳＷＡによって設定される所望の信号種について増幅処理が行われ、次いで、後段の分岐・分配機能部ＳＥＬＡにより、４分岐出力または４分配出力のうち、切換スイッチＳＷＢによって設定される所望の出力形態で、信号が出力される。
【００４２】
したがって、本実施形態に係る分岐分配機能を備えたブースタによれば、切換スイッチＳＷＡ、ＳＷＢを任意に切り換え設定することにより、単一のブースタで、混合された放送信号のうち任意の信号種を分波、増幅する信号増幅機能と、増幅された放送信号を４分岐処理または４分配処理する４分岐／４分配機能を同時に実現することができる。
また、共同受信システムを構築するための機器の種類を削減して製品仕様の共通化、製品コストの低減を図ることができ、設置工事の作業効率の向上や工事費用の削減を図ることができる。詳しくは後述する。
【００４３】
ここで、本実施形態に係る分岐分配機能を備えたブースタの外観構造について、図面を参照して説明する。
図６は、本実施形態に係る分岐分配機能を備えたブースタの一具体例を示す概略外観図である。なお、必要に応じて、図５に示した概略構成を参照して説明する。
【００４４】
図６に示すように、本実施形態に係るブースタは、概略、図５に示した信号増幅機能部と分岐分配機能部とを収納した上部ケースＦＲＡと、信号増幅機能部への駆動電源を供給する電源供給機能部が収納された下部ケースＦＲＢとを有して構成されている。ここで、上部ケースＦＲＡと下部ケースＦＲＢは、積層構造を有して構成され、上部ケースＦＲＡと下部ケースＦＲＢからなる筐体内部で、信号増幅機能部、分岐分配機能部および電源供給機能部相互が電気的に接続されている。ここで、上部ケースＦＲＡは、本発明に係る第１の筐体を構成し、下部ケースＦＲＢは、本発明に係る第２の筐体を構成する。
【００４５】
そして、上部ケースＦＲＡの異なる側面には、ＶＨＦ／ＵＨＦ放送信号が入力される入力端子ＩＮａ、及び、ＶＨＦ／ＵＨＦ／ＢＳ／ＣＳ放送信号が入力される入力端子ＩＮｂと、４分岐信号または４分配信号が出力される出力端子ＯＵＴ、ＯＵＴ１〜ＯＵＴ４と、が突出して設けられるとともに、上部ケースＦＲＡの上面（上記側面に対する上面であって、図面正面側；以下、「正面」と記す）には、入力端子ＩＮａ、ＩＮｂに入力された放送信号の信号種を選択するための切換スイッチＳＷＡと、ＶＨＦ増幅部ＡＭＰｖ、ＵＨＦ増幅部ＡＭＰｕおよびＢＳ／ＣＳ増幅部ＡＭＰｓの各々に付設されたゲインコントロールダイヤルＧＣと、４分岐出力または４分配出力のいずれかを選択するための切換スイッチＳＷＢが配置されている。
【００４６】
このような外観構成を有するブースタによれば、ブースタ機能部ＢＳＴＡ、分岐・分配機能部ＳＥＬＡおよび電源供給機能部を、積層構造を有する筐体内に収納して一体的に構成し、さらに、筐体内部で各々の機能部が予め接続されているので、小型の分岐分配機能を備えたブースタを実現することができ、筐体の設置スペースを大幅に削減することができるとともに、機器の設置個数や入出力端子相互の接続数を削減して設置工事の作業効率を大幅に向上させることができる。
【００４７】
＜ブースタの第２の実施形態＞
次に、本発明に係る分岐分配機能を備えたブースタの第２の実施形態について、図面を参照して説明する。
図７は、本発明に係る分岐分配機能を備えたブースタの第２の実施形態を示す概略構成図であり、図８は、本実施形態に係るブースタに適用される分岐分配機能部の動作状態を示すテーブルであり、図９は、本実施形態に係る分岐分配機能を備えたブースタの第２の実施形態を示す概略外観図である。なお、上述した参考例及び第１の実施形態と同等の構成については、同一の符号を付して、その説明を簡略化する。
【００４８】
図７に示すように、本実施形態に係る分岐分配機能を備えたブースタは、大別して、ブースタ機能部ＢＳＴＢと、分岐・分配機能部ＳＥＬＢと、を備えている。
ブースタ機能部ＢＳＴＢは、例えば、ＶＨＦ放送信号が入力される入力端子ＩＮａと、ＶＨＦ／ＵＨＦの放送信号が混合された信号が入力される入力端子ＩＮｂと、ＶＨＦ／ＵＨＦ／ＢＳ／ＣＳの放送信号が混合された信号が入力される入力端子ＩＮｃと、入力端子ＩＮｃに入力された信号を、ＶＨＦ／ＵＨＦ放送信号とＢＳ／ＣＳ放送信号に分波する分波器ＭＷａと、入力端子ＩＮｂに入力された信号、または、分波器ＭＷａにより分波されたＶＨＦ／ＵＨＦ放送信号のいずれかを選択する切換スイッチＳＷＡ１と、切換スイッチＳＷＡ１により選択されたＶＨＦ／ＵＨＦ放送信号を、ＶＨＦ放送信号とＵＨＦ放送信号に分波する分波器ＭＷｂと、入力端子ＩＮａに入力されたＶＨＦ放送信号、または、分波器ＭＷｂにより分波されたＶＨＦ放送信号のいずれかを選択する切換スイッチＳＷＡ２と、ＶＨＦ増幅部ＡＭＰｖ、ＵＨＦ増幅部ＡＭＰｕおよびＢＳ／ＣＳ増幅部ＡＭＰｓと、合成器ＳＹＮａおよび合成器ＳＹＮｂと、を有して構成されている。
ここで、切換スイッチＳＷＡ１およびＳＷＡ２は、本発明に係る第１の選択手段を構成している。
【００４９】
一方、分岐・分配機能部ＳＥＬＢは、ブースタ機能部ＢＳＴＢの出力信号が入力接点Ｐinに供給される切換スイッチＳＷＢ１１と、切換スイッチＳＷＢ１１の出力接点Ｐoutに印加された信号が出力される出力端子ＯＵＴと、該切換スイッチＳＷＢ１１の一方側の切換接点ＰＢ１に印加された信号が入力接点Ｐinに供給される切換スイッチＳＷＢ１２と、該切換スイッチＳＷＢ１２の一方側の切換接点ＰＡ１に印加された信号を２分配し、一方の分配信号を切換スイッチＳＷＢ１２の一方側の切換接点ＰＡ２に出力するとともに、他方の分配信号を切換スイッチＳＷＢ１１の一方側の切換接点ＰＢ２に出力する２分配器ＤＳ３と、切換スイッチＳＷＢ１２の出力接点Ｐoutに印加された信号を４分配する４分配器ＤＳ４と、４分配器ＤＳ４からの分配信号が出力される個別の出力端子ＯＵＴ１〜ＯＵＴ４と、を備えて構成されている。なお、切換スイッチＳＷＢ１１の他方側の切換接点ＰＡ１、ＰＡ２相互、および、切換スイッチＳＷＢ１２の他方側の切換接点ＰＢ１、ＰＢ２相互は、各々信号線により接続されている。
ここで、切換スイッチＳＷＢ１１およびＳＷＢ１２は、本発明に係る第２の選択手段を構成している。
【００５０】
ここで、本実施形態に適用される分岐分配機能部ＳＥＬＢの動作は、図８に示すように、切換スイッチＳＷＢ１１を接続接点ＰＡ１／ＰＡ２側に切り換えると、切換スイッチＳＷＢ１２の設定状態に関わらず、入力信号（ブースタ機能部ＢＳＴＢの出力信号）は、そのまま出力端子ＯＵＴに供給、出力される。すなわち、入力信号の信号レベルＬ１に対して、出力端子ＯＵＴには、同等の信号レベルＬ１を有する信号が供給されることになり、スルー出力機能が実現される。
【００５１】
一方、切換スイッチＳＷＢ１１を接続接点ＰＢ１／ＰＢ２側に切り換え、かつ、切換スイッチＳＷＢ１２を接続接点ＰＡ１／ＰＡ２側に切り換えると、２分配器ＤＳ３により、所定の信号レベルに等分されて、一方の分配信号は、出力端子ＯＵＴに供給、出力される。また、２分配器ＤＳ３の他方の分配信号は、４分配器ＤＳ４により、所定の信号レベルにさらに等分されて、出力端子ＯＵＴ１〜ＯＵＴ４に供給、出力される。すなわち、入力信号の信号レベルＬ１に対して、出力端子ＯＵＴには、信号レベルＬ１×１／２を有する信号が供給され、出力端子ＯＵＴ１〜ＯＵＴ４には、各々信号レベルＬ１×１／８を有する信号が供給されることになり、４分岐機能が実現される。
【００５２】
さらに、切換スイッチＳＷＢ１１を接続接点ＰＢ１／ＰＢ２側に切り換え、かつ、切換スイッチＳＷＢ１２を接続接点ＰＢ１／ＰＢ２側に切り換えると、４分配器ＤＳ４により、所定の信号レベルに等分されて、出力端子ＯＵＴ１〜ＯＵＴ４に供給、出力される。すなわち、入力信号の信号レベルＬ１に対して、出力端子ＯＵＴ１〜ＯＵＴ４には、各々信号レベルＬ１×１／４を有する信号が供給されることになり、４分配機能が実現される。
【００５３】
すなわち、切換スイッチＳＷＢ１１、ＳＷＢ１２を任意に切り換え設定することにより、出力端子ＯＵＴへのスルー出力（増幅信号）を供給する経路（第３の信号処理経路）と、出力端子ＯＵＴ、ＯＵＴ１〜ＯＵＴ４への４分岐信号を供給する経路（第１の信号処理経路）と、出力端子ＯＵＴ１〜ＯＵＴ４への４分配信号を供給する経路（第２の信号処理経路）のいずれかを選択することができ、単一の分岐・分配器で、４分岐／４分配の分岐・分配器としての機能の他に、単体のブースタとしての機能をも備えることができる。
【００５４】
そして、このような構成を有するブースタの外観構造は、例えば、図９に示すように、筐体の異なる側面に、ＶＨＦ放送信号、ＶＨＦ／ＵＨＦ放送信号およびＶＨＦ／ＵＨＦ／ＢＳ／ＣＳ放送信号が個別に入力される入力端子ＩＮａ〜ＩＮｃと、スルー出力、４分岐信号または４分配信号が選択的に出力される出力端子ＯＵＴ、ＯＵＴ１〜ＯＵＴ４が突出して設けられるとともに、筐体正面に、入力端子ＩＮａ〜ＩＮｃに入力された放送信号の信号種を選択するための切換スイッチＳＷＡ１、ＳＷＡ２と、ＶＨＦ増幅部ＡＭＰｖ、ＵＨＦ増幅部ＡＭＰｕおよびＢＳ／ＣＳ増幅部ＡＭＰｓの各々に付設されたゲインコントロールダイヤルＧＣと、スルー出力、４分岐出力または４分配出力のいずれかを選択するための切換スイッチＳＷＢ１１、ＳＷＢ１２が配置されている。
【００５５】
このような構成を有するブースタにおいて、ブースタ機能部ＢＳＴＢにより、入力端子ＩＮａ〜ＩＮｃに入力される放送信号のうち、切換スイッチＳＷＡ１、ＳＷＡ２によって設定される所望の信号種について増幅処理が行われ、次いで、後段の分岐・分配機能部ＳＥＬＢにより、上述したように、スルー出力、４分岐出力または４分配出力のうち、切換スイッチＳＷＢ１１、ＳＷＢ１２によって設定される所望の出力形態で、信号が出力される。
【００５６】
したがって、本実施形態に係る分岐分配機能を備えたブースタによれば、切換スイッチＳＷＡ１、ＳＷＡ２、ＳＷＢ１１、ＳＷＢ１２を任意に切り換え設定することにより、単一のブースタで、混合された放送信号のうち任意の信号種を分波、増幅する信号増幅機能と、増幅された放送信号をスルー出力処理、４分岐処理または４分配処理する機能を同時に実現することができる。
そのため、上述した第１の実施形態に示した構成に比較して、ブースタと分岐器または分配器が近接して設置されている設置箇所のみならず、ブースタ単体としても適用することができ、共同受信システムを構築するための機器の種類を一層削減して製品仕様の共通化、製品コストの低減、設置スペースの削減を図ることができる。
【００５７】
＜ブースタの第３の実施形態＞
次に、本発明に係る分岐分配機能を備えたブースタの第３の実施形態について、図面を参照して説明する。
図１０は、本発明に係る分岐分配機能を備えたブースタの第３の実施形態に適用される分岐分配機能部を示す概略構成図、および、その動作状態を示すテーブルである。ここで、上述した各実施形態と同等の構成については、同一の符号を付して、その説明を簡略化する。
本実施形態においては、上述した第２の実施形態と同様に、入力信号（すなわち、ブースタ機能部ＢＳＴＢの出力信号）をそのまま出力するスルー出力機能と、２分岐／２分配機能を備えている。
【００５８】
具体的には、図１０（ａ）に示すように、本実施形態に適用される分岐分配機能部ＳＥＬＣは、上述した第１または第２の実施形態と同等の構成を有するブースタ機能部ＢＳＴＣからの入力信号が入力接点Ｐinに供給される切換スイッチＳＷＢ２１と、切換スイッチＳＷＢ２１の出力接点Ｐoutに印加された信号が出力される出力端子ＯＵＴと、該切換スイッチＳＷＢ２１の一方側の切換接点ＰＢ１に印加された信号が入力接点Ｐinに供給される切換スイッチＳＷＢ２２と、該切換スイッチＳＷＢ２２の一方側の切換接点ＰＡ１に印加された信号を２分配し、一方の分配信号を切換スイッチＳＷＢ２２の一方側の切換接点ＰＡ２に出力するとともに、他方の分配信号を切換スイッチＳＷＢ２１の一方側の切換接点ＰＢ２に出力する２分配器ＤＳ５と、切換スイッチＳＷＢ２２の出力接点Ｐoutに印加された信号を２分配する２分配器ＤＳ６と、２分配器ＤＳ６からの分配信号が出力される個別の出力端子ＯＵＴ１１、ＯＵＴ１２と、を備えて構成されている。なお、切換スイッチＳＷＢ２１の他方側の切換接点ＰＡ１、ＰＡ２相互、および、切換スイッチＳＷＢ２２の他方側の切換接点ＰＢ１、ＰＢ２相互は、各々信号線により接続されている。
ここで、切換スイッチＳＷＢ２１およびＳＷＢ２２は、本発明に係る第２の選択手段を構成している。
【００５９】
ここで、本実施形態に適用される分岐分配機能部ＳＥＬＣの動作は、図１０（ｂ）に示すように、切換スイッチＳＷＢ２１を接続接点ＰＡ１／ＰＡ２側に切り換えると、切換スイッチＳＷＢ２２の設定状態に関わらず、入力信号は、そのまま出力端子ＯＵＴに供給、出力される。すなわち、入力信号の信号レベルＬ１に対して、出力端子ＯＵＴには、同等の信号レベルＬ１を有する信号が供給されることになり、ブースタ機能部ＢＳＴＣの増幅出力がそのまま出力端子ＯＵＴに出力されるスルー出力機能が実現される。
【００６０】
よって、切換スイッチＳＷＢ２１が接続接点ＰＡ１／ＰＡ２側に切り換え設定された場合における、ブースタ機能部ＢＳＴＣから切換スイッチＳＷＢ２１を介して出力端子ＯＵＴに至るスルー出力を供給する経路は、本発明における第３の信号処理経路を構成する。
【００６１】
一方、切換スイッチＳＷＢ２１を接続接点ＰＢ１／ＰＢ２側に切り換え、かつ、切換スイッチＳＷＢ２２を接続接点ＰＡ１／ＰＡ２側に切り換えると、２分配器ＤＳ５により、所定の信号レベルに等分されて、一方の分配信号は、出力端子ＯＵＴに供給、出力される。また、２分配器ＤＳ５の他方の分配信号は、２分配器ＤＳ６により、所定の信号レベルにさらに等分されて、出力端子ＯＵＴ１１およびＯＵＴ１２に供給、出力される。すなわち、入力信号の信号レベルＬ１に対して、出力端子ＯＵＴには、信号レベルＬ１×１／２を有する信号が供給され、出力端子ＯＵＴ１１、ＯＵＴ１２には、各々信号レベルＬ１×１／４を有する信号が供給されることになり、２分岐機能が実現される。
【００６２】
さらに、切換スイッチＳＷＢ２１を接続接点ＰＢ１／ＰＢ２側に切り換え、かつ、切換スイッチＳＷＢ２２を接続接点ＰＢ１／ＰＢ２側に切り換えると、２分配器ＤＳ６により、所定の信号レベルに等分されて、出力端子ＯＵＴ１１およびＯＵＴ１２に供給、出力される。すなわち、入力信号の信号レベルＬ１に対して、出力端子ＯＵＴ１１、ＯＵＴ１２には、各々信号レベルＬ１×１／２を有する信号が供給されることになり、２分配機能が実現される。
【００６３】
したがって、本実施形態に係る分岐分配機能を備えたブースタによれば、分岐分配機能部ＳＥＬＣの切換スイッチＳＷＢ２１、ＳＷＢ２２を任意に切り換え設定することにより、ブースタ機能部ＢＳＴＣからの増幅出力のスルー出力、２分岐出力または２分配出力を得ることができる。
また、共同受信システムを構築するための機器の種類を削減して製品仕様の共通化、製品コストの低減を図ることができ、設置工事の作業効率の大幅な向上を図ることができる。
【００６４】
なお、上述した各実施形態に示した分岐分配機能を備えたブースタの構成は、信号増幅機能、分岐、分配機能およびスルー出力機能の切り換え設定を実現するための一例を示したものに過ぎず、本発明に係る分岐分配機能を備えたブースタは、これに限定されるものではないことはいうまでもない。
【００６５】
＜分岐分配機能を備えたブースタの適用例＞
次に、上述した第１乃至第３の実施形態に示した分岐分配機能を備えたブースタを適用した共同受信システムについて、図面を参照して説明する。
図１１は、本発明に係る分岐分配機能を備えたブースタを適用した共同受信システムの伝送経路を示す概略構成図である。なお、上述した実施形態と同等の構成については、同一の符号を付して、その説明を簡略化する。
【００６６】
図１１に示すように、本発明に係る分岐分配機能を備えたブースタが適用される共同受信システム１０は、上述した適用例（図４）に示したものと同様に、放送信号を受信するマスタアンテナ１１と、受信された放送信号を増幅するブースタ１２ａ〜１２ｄと、放送信号を幹線となる高信号レベルと支線となる複数の低信号レベルに分割する分岐器１３ａ〜１３ｃと、放送信号を所定の信号レベルに等分して複数の支線に供給する分配器１４ａ、１４ｂと、各住戸毎に設けられ、伝送された放送信号を受信して映像音響機器に出力する受信端子１５と、を有して構成されている。
【００６７】
ここで、伝送経路中に設けられるブースタと分岐器の組み合わせ（すなわち、ブースタ１２ａと分岐器１３ａ、ブースタ１２ｂと分岐器１３ｄ）、ブースタと分配器の組み合わせ（すなわち、ブースタ１２ｂと分配器１４ａ）、あるいは、ブースタ単体（すなわち、ブースタ１２ｂ、１２ｃ、１２ｄ）の各々に対して、上述した各実施形態に示した分岐分配機能を備えたブースタが適用される。
【００６８】
具体的には、例えば、第２の実施形態に示したブースタ（図７参照）において、図８に示したように、分岐・分配機能部ＳＥＬＢの切換スイッチＳＷＢ１１を接続接点ＰＡ１／ＰＡ２側に切り換えることにより、ブースタ機能部ＢＳＴＢからの増幅信号がスルー出力され、出力端子ＯＵＴに供給されるので、図１１中のブースタ１２ｂ、１２ｃ、１２ｄの設置箇所に本発明の分岐分配機能を備えたブースタを良好に適用することができる。
【００６９】
また、切換スイッチＳＷＢ１１を接続接点ＰＢ１／ＰＢ２側に切り換え、かつ、切換スイッチＳＷＢ１２を接続接点ＰＡ１／ＰＡ２側に切り換えることにより、４分岐機能が実現され、ブースタ機能部ＢＳＴＢからの増幅信号の分岐信号が出力端子ＯＵＴ、ＯＵＴ１〜ＯＵＴ４に供給されるので、図１１中のブースタ１２ａと分岐器１３ａの組み合わせＣＮＶａ、ブースタ１２ｂと分岐器１３ｄの組み合わせＣＮＶｃが設置される箇所に本発明の分岐分配機能を備えたブースタを良好に適用することができる。
【００７０】
さらに、切換スイッチＳＷＢ１１を接続接点ＰＢ１／ＰＢ２側に、かつ、切換スイッチＳＷＢ１２を接続接点ＰＢ１／ＰＢ２側に切り換えることにより、４分配機能が実現され、ブースタ機能部ＢＳＴＢからの増幅信号の分配信号が出力端子ＯＵＴ１〜ＯＵＴ４に供給されるので、図１１中のブースタ１２ｂと分配器１４ａの組み合わせＣＮＶｂが設置される箇所に本発明の分岐分配機能を備えたブースタを良好に適用することができる。
【００７１】
このように、単一の筐体を有し、分岐分配機能を備えたブースタをスイッチ操作により、機能を切り換えて使用することができるので、従来のように、ブースタ、分岐器および分配器を個別に用意する必要がなく、製品の種類を削減して共通化を図ることができ、製品コストの削減、設置工事の作業効率の向上を図ることができる。
なお、本適用例においては、分岐分配機能を備えたブースタの構成として、第２の実施形態に示したものを適用した場合について説明したが、上述した他の実施形態を組み合わせた構成や、さらに他の構成も良好に適用することができることはいうまでもない。
【００７２】
以上説明したように、本発明によれば、所望の信号種の伝送信号を選択する第１の選択手段と、選択された伝送信号を所望の信号レベルに増幅処理する信号増幅部と、増幅された伝送信号を所定数の分岐信号に分割する第１の信号処理経路と、増幅された伝送信号を所定数の分配信号に分割する第２の信号処理経路と、第１の信号処理経路または第２の信号処理経路のいずれか一方を選択設定する第２の選択手段と、を備えているので、第１および第２の選択手段を任意に切り換え設定することにより、単一の分岐分配機能を備えたブースタで、混合された伝送信号から任意の信号種を分波して増幅する信号増幅機能と、増幅された伝送信号を任意の信号数へ分岐または分配する分岐／分配機能を同時に実現することができる。
【００７３】
特に、本発明によれば、複数の出力端子からなる出力端子群が、第１の信号処理経路、および、第２の信号処理経路の後段に共通して設けられているので、出力端子数を抑制して小型の分岐分配機能を備えたブースタを実現することができる。
【００７４】
また、本発明によれば、ブースタを収納する筐体の異なる側面に、入力端子および出力端子群が設けられ、入力端子近傍の筐体の正面に、第１の選択手段が配置されるとともに、出力端子近傍の筐体の正面に、第２の選択手段が配置されているので、入力端子および出力端子群を明確に識別することができ、伝送ケーブルの接続作業を容易に行うことができる。さらに、本発明によれば、第１及び第２の選択手段が、各々、入力端子及び出力端子群の近傍の筐体表面に配置されているので、入力端子を介して入力される伝送信号や、信号処理経路の選択設定を容易に行うことができる。
したがって、本発明によれば、共同受信システムを構築するための機器の種類を削減して製品仕様の共通化、製品コストの低減を図ることができるとともに、設置工事の作業効率の向上や工事費用の削減を図ることができる。
【００７５】
また、本発明によれば、上記筐体である第１の筐体に信号増幅機能部と分岐分配機能部を収納し、第２の筐体に電源供給機能部を収納し、第１および第２の筐体相互が、積層構造を有して一体的に組み付けられているので、分岐分配機能を備えたブースタを小型化して、機器の設置スペースを大幅に削減することができるとともに、機器の設置個数や入出力端子相互の接続数を削減して設置工事の作業効率を大幅に向上させることができる。
したがって、本発明によれば、共同受信システムを構築するための機器の種類を一層削減して製品仕様の共通化、製品コストの低減を図ることができるとともに、設置工事の作業効率の向上や工事費用の削減を一層促進することができる。
【００７６】
また、本発明によれば、分岐／分配機能に加え、伝送信号をスルー出力としてそのまま通過、出力する第３の信号処理経路を備えているので、単一の分岐分配機能を備えたブースタで多様な信号処理機能を実現することができる。したがって、本発明によれば、ブースタと分岐器または分配器が近接して設置されている設置箇所のみならず、ブースタ単体としても適用することができ、共同受信システムを構築するための機器の種類を一層削減して製品仕様の共通化、製品コストの低減、設置スペースの削減を図ることができる。
【符号の説明】
【００７７】
ＳＷ１１、ＳＷ２１、ＳＷ２２、ＳＷＡ、ＳＷＡ１、ＳＷＡ２、ＳＷＢ、ＳＷＢ１１、ＳＷＢ１２、ＳＷＢ２１、ＳＷＢ２２        切換スイッチ
ＤＳ１１、ＤＳ２１、ＤＳ２２、ＤＳ１〜ＤＳ６        分配器
ＩＮ、ＩＮａ、ＩＮｂ、ＩＮｃ                    入力端子
ＡＭＰｖ              ＶＨＦ増幅部
ＡＭＰｕ              ＵＨＦ増幅部
ＡＭＰｓ              ＢＳ／ＣＳ増幅部
ＢＳＴＡ、ＢＳＴＢ、ＢＳＴＣ    ブースタ機能部
ＳＥＬＡ、ＳＥＬＢ、ＳＥＬＣ    分岐・分配機能部
１０                  共同受信システム
１１                  マスタアンテナ
１２ａ〜１２ｄ        ブースタ
１３ａ〜１３ｄ        分岐器
１４ａ、１４ｂ        分配器
１５                  受信端子
【図１】
2011109704.tif 000003
【図２】
2011109704.tif 000004
【図３】
2011109704.tif 000005
【図４】
2011109704.tif 000006
【図５】
2011109704.tif 000007
【図６】
2011109704.tif 000008
【図７】
2011109704.tif 000009
【図８】
2011109704.tif 000010
【図９】
2011109704.tif 000011
【図１０】
2011109704.tif 000012
【図１１】
2011109704.tif 000013
【図１２】
2011109704.tif 000014